(57)【要約】【課題】データ容量の増大を抑え、かつ画像の劣化なく、編集映像を外部へ渡すことが可能な映像収録再生装置及び映像クリップ処理方法を提供する。【解決手段】ユーザの指示により作成された操作者プレイリストを参照し、映像クリップＡ，Ｂから、部分クリップＡＡ，ＢＢ１，ＢＢ２を示す部分クリッププレイリストを作成する。また、操作者プレイリストに基づいて、部分クリップＡＡ，ＢＢ１，ＢＢ２に応じた内部プレイリストを作成する。そして、編集映像の出力要求が入力された場合は、部分クリッププレイリストに基づいて部分クリップＡＡ，ＢＢ１，ＢＢ２を読み出し、この部分クリップＡＡ，ＢＢ１，ＢＢ２及び内部プレイリストを出力する。【選択図】      図３
2011040827.tif 000002
【特許請求の範囲】
【請求項１】
映像データがフレーム間相関の符号化方式により符号化された複数の符号化データを映像クリップとして収録する映像収録再生装置において、
前記映像クリップと、前記映像クリップに対するＩＮ点／ＯＵＴ点の指定位置を示す第１の編集データとを記録する記録部と、
前記映像クリップに含まれる複数の符号化データのうち前記ＩＮ点の指定位置を含む符号化データの先頭フレームから、前記ＯＵＴ点の指定位置を含む符号化データの末端フレームまでを部分クリップとして指定し、前記第１の編集データに基づいて前記部分クリップに対するＩＮ点／ＯＵＴ点の指定位置を示す第２の編集データを作成する制御部と
を具備することを特徴とする映像収録再生装置。
【請求項２】
リムーバブル記録メディアと接続する接続部をさらに具備し、
前記制御部は、前記部分クリップ及び前記第２の編集データを前記接続部を介して前記リムーバブル記録メディアへ記録することを特徴とする請求項１記載の映像収録再生装置。
【請求項３】
外部の機器と接続するインタフェース部をさらに具備し、
前記制御部は、前記部分クリップ及び前記第２の編集データを前記インタフェース部を介して前記外部機器へ出力することを特徴とする請求項１記載の映像収録再生装置。
【請求項４】
リムーバブル記録メディアと接続する接続部をさらに具備し、
前記制御部は、
前記映像クリップにおける前記部分クリップの位置を示す部分クリップ編集データと、前記第２の編集データとを前記記録部に記録させ、
前記映像クリップが編集された編集映像の出力要求に応じて、前記記録部から前記部分クリップ編集データに基づいた部分クリップと、前記第２の編集データとを読み出し、前記部分クリップ及び前記第２の編集データを前記接続部を介して前記リムーバブル記録メディアへ出力することを特徴とする請求項１記載の映像収録再生装置。
【請求項５】
外部の機器と接続するインタフェース部をさらに具備し、
前記制御部は、
前記映像クリップにおける前記部分クリップの位置を示す部分クリップ編集データと、前記第２の編集データとを前記記録部に記録させ、
前記映像クリップが編集された編集映像の出力要求に応じて、前記記録部から前記部分クリップ編集データに基づいた部分クリップと、前記第２の編集データとを読み出し、前記部分クリップ及び前記第２の編集データを前記インタフェース部を介して前記外部機器へ出力することを特徴とする請求項１記載の映像収録再生装置。
【請求項６】
前記部分クリップを前記符号化方式に応じた復号化方式で復号化して出力するデコード部をさらに具備し、
前記制御部は、前記編集映像の再生要求に応じて、前記記録部に前記部分クリップ編集データに基づいた部分クリップを読み出させ、前記部分クリップを前記デコード部へ出力させ、前記デコード部に前記部分クリップの復号化データのうち、前記部分クリップ編集データで示されたＩＮ点及びＯＵＴ点で挟まれたデータを出力させることを特徴とする請求項４及び５のいずれかに記載の映像収録再生装置。
【請求項７】
リムーバブル記録メディアと接続する接続部をさらに具備し、
前記制御部は、
前記部分クリップ及び前記第２の編集データを前記記録部に記録させ、
前記映像クリップが編集された編集映像の出力要求に応じて、前記記録部から前記部分クリップ及び前記第２の編集データを読み出し、前記部分クリップ及び前記第２の編集データを前記接続部を介して前記リムーバブル記録メディアへ出力することを特徴とする請求項１記載の映像収録再生装置。
【請求項８】
外部の機器と接続するインタフェース部をさらに具備し、
前記制御部は、
前記部分クリップ及び前記第２の編集データを前記記録部に記録させ、
前記映像クリップが編集された編集映像の出力要求に応じて、前記記録部から前記部分クリップ及び前記第２の編集データを読み出し、前記部分クリップ及び前記第２の編集データを前記インタフェース部を介して前記外部機器へ出力することを特徴とする請求項１記載の映像収録再生装置。
【請求項９】
前記部分クリップを前記符号化方式に応じた復号化方式で復号化して出力するデコード部をさらに具備し、
前記制御部は、前記編集映像の再生要求に応じて、前記記録部に前記部分クリップを読み出させ、前記部分クリップを前記デコード部へ出力させ、前記デコード部に前記部分クリップの復号化データのうち、前記第２の編集データで示されたＩＮ点及びＯＵＴ点で挟まれたデータを出力させることを特徴とする請求項７及び８のいずれかに記載の映像収録再生装置。
【請求項１０】
前記符号化方式は、ＭＰＥＧ（Moving Picture Experts Group）方式であり、
前記符号化データは、ＧＯＰであることを特徴とする請求項１記載の映像収録再生装置。
【請求項１１】
映像データがフレーム間相関の符号化方式により符号化された複数の符号化データを映像クリップとして収録する映像収録再生装置で用いられる映像クリップ処理方法であって、
前記映像クリップに対するＩＮ点／ＯＵＴ点の指定位置を示す第１の編集データを記録し、
前記映像クリップに含まれる複数の符号化データのうち前記ＩＮ点の指定位置を含む符号化データの先頭フレームから、前記ＯＵＴ点の指定位置を含む符号化データの末端フレームまでを部分クリップとして指定し、
前記第１の編集データに基づいて前記部分クリップに対するＩＮ点／ＯＵＴ点の指定位置を示す第２の編集データを作成することを特徴とする映像クリップ処理方法。
【発明の詳細な説明】
【技術分野】
【０００１】
この発明は、例えば撮像した映像を収録する映像収録再生装置及び、この映像収録再生装置に収録された映像クリップをプレイリストに基づいて処理する映像クリップ処理方法に関する。
【背景技術】
【０００２】
ＭＰＥＧ  ＬＯＮＧ  ＧＯＰ等のフレーム間相関による符号化方式を採用した映像収録再生装置において、操作者が、映像収録再生装置に収録された映像クリップの再エンコード無しに編集を行った場合、プレイリスト及びＥＤＬ（Edit Decision List）等の編集データが作成される。作成された編集データは、映像クリップに加えて映像収録再生装置に記録される。
【０００３】
ところで、編集済みの映像である編集映像を外部へ渡そうとする場合、編集データと、編集映像に用いられる映像クリップ（一つ、又は複数の映像クリップ）とをまとめて外部へ渡す必要がある。ここで、編集映像は、単一又は複数の映像シーンを、単一又は複数の映像クリップからカットすることによりなる。例えば、編集映像を記録メディアにより渡す場合には、編集データと編集映像に用いられる映像クリップとを記録メディアにまとめて記録しなければならない。そのため、編集映像に含まれる映像シーンが短い場合であっても、その映像シーンを含む映像クリップそのものを記録メディアへ記録しなければならず、渡すべきデータの容量が大きくなってしまう。
【０００４】
そこで、編集映像を外部に渡す際、そのデータ容量を小さくする方法として、編集データに基づいて編集映像に用いられる映像クリップを再エンコードし、編集映像に基づく新たな映像クリップである編集クリップを作成する方法がある（例えば、特許文献１乃至３参照）。ただし、この方法では、データ容量は小さくなるが、映像クリップを再エンコードするのに編集映像をエンコードするのと同等の時間がかかるという問題がある。また、この方法では、再エンコードにより画像が劣化してしまうという問題がある。
【先行技術文献】
【特許文献】
【０００５】
【特許文献１】特開２００８−１３１１４７号公報
【特許文献２】特開平１１−３４１４３６号公報
【特許文献３】特開平８―２０５０７６号公報
【発明の概要】
【発明が解決しようとする課題】
【０００６】
以上のように、従来の映像収録再生装置では、編集データと編集映像に用いられる映像クリップとをまとめて外部へ渡そうとした場合、複製すべきデータ容量が大きくなる等の問題があり、映像クリップを再エンコードして作成した編集クリップを外部へ渡そうとした場合、再エンコードには時間がかかる事及び画像が劣化する事等の問題がある。
【０００７】
この発明は上記事情によりなされたもので、その目的は、データ容量の増大を抑え、かつ画像の劣化なく、編集映像を外部へ渡すことが可能な映像収録再生装置及び映像クリップ処理方法を提供することにある。
【課題を解決するための手段】
【０００８】
上記目的を達成するため、本発明に係る映像収録再生装置は、映像データがフレーム間相関の符号化方式により符号化された複数の符号化データを映像クリップとして収録する映像収録再生装置において、前記映像クリップと、前記映像クリップに対するＩＮ点／ＯＵＴ点の指定位置を示す第１の編集データとを記録する記録部と、前記映像クリップに含まれる複数の符号化データのうち前記ＩＮ点の指定位置を含む符号化データの先頭フレームから、前記ＯＵＴ点の指定位置を含む符号化データの末端フレームまでを部分クリップとして指定し、前記第１の編集データに基づいて前記部分クリップに対するＩＮ点／ＯＵＴ点の指定位置を示す第２の編集データを作成する制御部とを具備する。
【０００９】
また、本発明に係る映像クリップ処理方法は、映像データがフレーム間相関の符号化方式により符号化された複数の符号化データを映像クリップとして収録する映像収録再生装置で用いられる映像クリップ処理方法であって、前記映像クリップに対するＩＮ点／ＯＵＴ点の指定位置を示す第１の編集データを記録し、前記映像クリップに含まれる複数の符号化データのうち前記ＩＮ点の指定位置を含む符号化データの先頭フレームから、前記ＯＵＴ点の指定位置を含む符号化データの末端フレームまでを部分クリップとして指定し、前記第１の編集データに基づいて前記部分クリップに対するＩＮ点／ＯＵＴ点の指定位置を示す第２の編集データを作成することを特徴とする。
【００１０】
上記構成による映像収録再生装置及び映像クリップ処理方法では、映像クリップの第１の編集データに基づいて、映像クリップよりもデータ容量の小さい部分クリップを指定する。制御部は、この部分クリップに応じた第２の編集データを作成し、記録部へ記録する。ここで、映像クリップを編集した編集映像を外部へ出力する場合には、部分クリップと第２の編集データとを外部へ出力すれば良い。これにより、編集映像に係るクリップのデータ容量を小さく抑えることが可能となる。
【発明の効果】
【００１１】
この発明によれば、データ容量の増大を抑え、かつ画像の劣化なく、編集映像を外部へ渡すことが可能な映像収録再生装置及び映像クリップ処理方法を提供することができる。
【図面の簡単な説明】
【００１２】
【図１】本発明の一実施形態に係る映像収録再生装置の機能構成を示すブロック図である。
【図２】図１の制御部が部分クリッププレイリスト及び内部プレイリストを作成する際の処理動作を示すフローチャートである。
【図３】図１の制御部が部分クリッププレイリスト及び内部プレイリストを作成する際の一例を示す図である。
【図４】図１の記録部に記録される操作者プレイリストの一例を示す図である。
【図５】図１の記録部に記録される内部プレイリストの一例を示す図である。
【図６】図１のデコーダ部の機能構成を示すブロック図である。
【図７】図３で作成した編集映像を再生する際の図である。
【図８】図３で作成した編集映像をリムーバブル記録メディアへ出力する際の図である。
【発明を実施するための形態】
【００１３】
以下、図面を参照しながら本発明に係る映像収録再生装置及び映像クリップ処理方法の実施の形態について詳細に説明する。
【００１４】
図１は、本発明の一実施形態に係る映像収録再生装置１０の機能構成を示すブロック図である。図１における映像収録再生装置１０は、エンコーダ部１１、記録部１２、デコーダ部１３、接続部１４、操作入力部１５及び制御部１６を具備する。
【００１５】
エンコーダ部１１は、例えばカメラ等で撮像された映像に基づく映像データを受け取り、ＭＰＥＧ（Moving Picture Experts Group）２、ＭＰＥＧ４及びＨ．２６４等のフレーム間相関の符号化方式により、この映像データを符号化する。エンコーダ部１１は、符号化データを記録部１２へ出力する。
【００１６】
記録部１２は、制御部１６からの収録指示により、符号化データを映像クリップとして収録する。記録部１２は、制御部１６からの再生指示により、映像クリップをデコーダ部１３へ出力する。また、記録部１２は、制御部１６からの出力指示により、映像クリップを接続部１４へ出力する。
【００１７】
デコーダ部１３は、記録部１２からのデータを、エンコーダ部１１における符号化方式に応じた復号化方式により復号化して外部へ出力する。
【００１８】
接続部１４は、リムーバブル記録メディア２０と接続する。接続部１４は、記録部１２からのデータを制御部１６からの指示によりリムーバブル記録メディア２０へ出力する。
【００１９】
操作入力部１５は、ユーザからの指示を受け付ける。例えば、操作入力部１５には、ユーザから収録要求、再生要求、出力要求及び編集要求等が入力される。
【００２０】
制御部１６は、例えばＣＰＵ（Central Processing Unit）により成り、映像収録再生装置１０全体の動作を制御する。制御部１６は、収録要求が入力された場合、収録指示を記録部１２に与え、再生要求が入力された場合、再生指示を記録部１２に与え、出力要求が入力された場合、出力指示を記録部１２に与える。
【００２１】
また、制御部１６は、編集要求が入力された場合、ユーザからの編集指示を操作入力部１５から受け付ける状態となる。編集指示とは、ＩＮ点の指定、ＯＵＴ点の指定及びエフェクトの付与等の編集処理を指示するものである。制御部１６は、編集指示が入力されると、記録部１２に収録された映像クリップに対して、編集処理を行う。
【００２２】
また、制御部１６は、ユーザからの編集指示が入力されると、その指示に従って、プレイリスト及びＥＤＬ（Edit Decision List）等の編集データを作成し、記録部１２へ記録する。ここで、プレイリスト及びＥＤＬ等の編集データとは、編集映像を作成する際に、映像クリップの一部分から成る映像シーン又は映像クリップ全体との組み合わせの並びを記載したデータである。例えば、編集データには、複数の映像シーンの再生順序、各映像クリップのＩＮ点及びＯＵＴ点が記載される。以下では、ユーザの指示により作成されたプレイリストを操作者プレイリスト、ユーザの指示により作成されたＥＤＬを操作者ＥＤＬと称し、これらを操作者編集データと称する。
【００２３】
さらに、制御部１６は、記録部１２に収録された映像クリップ及び操作者編集データに基づいて、映像クリップにおける部分クリップの位置を示す編集データ、及び、操作者編集データを部分クリップ用に変換した編集データを作成し、記録部１２に記録する。ここで、部分クリップとは、ユーザの編集指示により指定された再生範囲に余長を付与し、クリップ長をＧＯＰ（Group Of Picture）の整数倍としたクリップである。以下では、部分クリップを示す編集データを部分クリップ編集データと称する。この部分クリップ編集データは、部分クリッププレイリスト及び部分クリップＥＤＬ等を含む。また、操作者編集データを部分クリップ用に変換した編集データを、内部編集データと称する。内部編集データは、内部プレイリスト及び内部ＥＤＬ等を含む。部分クリップと内部編集データは映像収録再生装置１０から外部に出力されるが、受け取ったほうから見れば操作者編集データとそれに対応するクリップとして扱われる。
【００２４】
次に上記構成における動作を説明する。
【００２５】
まず、図２、図３、図４及び図５を参照して部分クリップ編集データ及び内部編集データの作成について詳細に説明する。なお、以下では、説明を容易にするため、制御部１６が記録部１２に記録された操作者プレイリストに基づいて部分クリッププレイリスト及び内部プレイリストを作成する例について説明する。ただし、制御部１６が記録部１２に記録された操作者ＥＤＬに基づいて部分クリップＥＤＬ及び内部ＥＤＬを作成する場合であっても同様に実施可能である。
【００２６】
図２は、本発明の一実施形態に係る映像収録再生装置１０の制御部１６が部分クリッププレイリスト及び内部プレイリストを作成する際の処理動作を示すフローチャートである。
【００２７】
まず、制御部１６は、ユーザからの編集指示が入力されると、操作者プレイリストを作成し、記録部１２へ記録する（ステップＳ２１）。制御部１６は、操作者プレイリストが記録されると、この操作者プレイリストと映像クリップの管理データとを参照し、映像クリップのＩＮ点を含むＧＯＰのＩピクチャと、ＯＵＴ点を含むＧＯＰのＩピクチャとを検出する。制御部１６は、ＩＮ点を含むＧＯＰの先頭から、ＯＵＴ点を含むＧＯＰの最後までを一つの部分クリップとして指定する。そして、制御部１６は、部分クリップを示すプレイリストである部分クリッププレイリストを記録部１２へ記録する（ステップＳ２２）。このとき、部分クリップのクリップ長は、ＧＯＰの整数倍となる。
【００２８】
また、制御部１６は、ＩＮ点の位置がＧＯＰの先頭から何フレーム目にあるか、及び、ＯＵＴ点の位置がＧＯＰの先頭から何フレーム目にあるかを求める（ステップＳ２３）。なお、プレイリストでは、ＩＮ点／ＯＵＴ点等の位置をタイムコードにより指定するのが一般的であるが、ここではＧＯＰのフレームが関係するため、フレームという表現で説明している。そして、制御部１６は、ステップＳ２３で求めたフレーム位置に基づいて、ステップＳ２２で指定した部分クリップ用のプレイリストである内部プレイリストを作成し、記録部１２へ記録する（ステップＳ２４）。ここで、内部プレイリストには、部分クリップ用の新たなＩＮ点及びＯＵＴ点が記載される。
【００２９】
図３は、制御部１６が部分クリッププレイリスト及び内部プレイリストを作成する際の一例を示す模式図である。ここでは、記録部１２に映像クリップＡ及び映像クリップＢが収録されている例について説明する。図４は、記録部１２に記録される操作者プレイリストの模式図を示す。また、図５は、記録部１２に記録される内部プレイリストの模式図を示す。
【００３０】
制御部１６は、映像クリップＡに対してＩＮ点：ＩＮ−Ａと、ＯＵＴ点：ＯＵＴ−Ａが指定されることで、映像シーンＡ−１が選択されると、この指定に基づいて、図４に示されるプレイリストのうち「映像クリップＡ  ＩＮ−Ａ  ＯＵＴ−Ａ」を記録部１２へ記録する。制御部１６は、記録されたプレイリストと映像クリップＡの管理データとを参照し、ＩＮ−Ａを含むＧＯＰの先頭から、ＯＵＴ−Ａを含むＧＯＰの最後までを部分クリップＡＡとする。そして、制御部１６は、その部分クリップＡＡを示す部分クリッププレイリストを記録部１２へ記録する。また、制御部１６は、部分クリップＡＡのクリップ名と、部分クリップＡＡについてのＩＮ点：ＩＮ−ＡＡ及びＯＵＴ点：ＯＵＴ−ＡＡとから、図５に示す内部プレイリストのうち「部分クリップＡＡ  ＩＮ−ＡＡ  ＯＵＴ−ＡＡ」を作成し、記録部１２へ記録する。
【００３１】
また、制御部１６は、映像クリップＢに対してＩＮ点：ＩＮ−Ｂ１と、ＯＵＴ点：ＯＵＴ−Ｂ１が指定されることで、映像シーンＢ−１が選択されると、この指定に基づいて記録部１２に記録されたプレイリストに「映像クリップＢ  ＩＮ−Ｂ１  ＯＵＴ−Ｂ１」を記録する。制御部１６は、記録されたプレイリストと映像クリップＢの管理データとを参照し、ＩＮ−Ｂ１を含むＧＯＰの先頭から、ＯＵＴ−Ｂ１を含むＧＯＰの最後までを部分クリップＢＢ１とする。そして、制御部１６は、その部分クリップＢＢ１を示す部分クリッププレイリストを記録部１２へ記録する。また、制御部１６は、部分クリップＢＢ１のクリップ名と、部分クリップＢＢ１についてのＩＮ点：ＩＮ−ＢＢ１及びＯＵＴ点：ＯＵＴ−ＢＢ１とから、記録部１２に記録された内部プレイリストに「部分クリップＢＢ１  ＩＮ−ＢＢ１  ＯＵＴ−ＢＢ１」を記録する。
【００３２】
また、制御部１６は、映像クリップＢに対してＩＮ点：ＩＮ−Ｂ２と、ＯＵＴ点：ＯＵＴ−Ｂ２が指定されることで、映像シーンＢ−２が選択されると、この指定に基づいて記録部１２に記録されたプレイリストに「映像クリップＢ  ＩＮ−Ｂ２  ＯＵＴ−Ｂ２」を記録する。制御部１６は、記録されたプレイリストと映像クリップＢの管理データとを参照し、ＩＮ−Ｂ２を含むＧＯＰの先頭から、ＯＵＴ−Ｂ２を含むＧＯＰの最後までを部分クリップＢＢ２とする。そして、制御部１６は、その部分クリップＢＢ２を示す部分クリッププレイリストを記録部１２へ記録する。また、制御部１６は、部分クリップＢＢ２のクリップ名と、部分クリップＢＢ２についてのＩＮ点：ＩＮ−ＢＢ２及びＯＵＴ点：ＯＵＴ−ＢＢ２とから、記録部１２に記録された内部プレイリストに「部分クリップＢＢ２  ＩＮ−ＢＢ２  ＯＵＴ−ＢＢ２」を記録する。
【００３３】
これにより、ユーザが映像クリップを編集することで編集映像を作成するのと同時に、部分クリッププレイリスト及び内部プレイリストが作成されることとなる。
【００３４】
次に、編集処理により作成された編集映像を再生する際の動作を説明する。本実施形態では、デコーダ部１３は、図６に示す構成をしている。これは、映像クリップの再生はＧＯＰ単位で行われるため、ＩＮ点及びＯＵＴ点等の編集点がＧＯＰの境目にない場合には、映像クリップを同時に再生させ、適当なタイミングで再生される映像クリップを切り替える必要があるからである。
【００３５】
図７は、図３で作成した編集映像を再生する際の模式図を示す。制御部１６は、編集映像の再生要求が入力された場合、部分クリッププレイリストに従い、映像クリップから部分クリップのみを出力するように、記録部１２へ再生指示を与える。記録部１２は、再生指示に従い、デコーダ部１３へ部分クリップを出力する。デコーダ部１３は、切替前のクリップと切替後のクリップのＧＯＰとの重なり部分についてデコーダ１３２−１，１３２−２を使用し、二つのクリップを同時にデコードする。制御部１６は、部分クリッププレイリストに基づいて、編集点で出力を切り替えるように電子スイッチ１３４を切り替える。これにより、デコーダ部１３から、部分クリップＡＡにおける映像シーンＡ−１、部分クリップＢＢ１における映像シーンＢ−１及び部分クリップＢＢ２における映像シーンＢ−２が連続して再生出力される。
【００３６】
次に、編集処理により作成された編集映像を出力する際の動作を説明する。
【００３７】
図８は、図３で作成した編集映像をリムーバブル記録メディア２０へ出力する際の模式図である。制御部１６は、操作入力部１５から出力要求が入力された場合、部分クリッププレイリストに従い、映像クリップから部分クリップを出力するように、記録部１２へ出力指示を与える。また、制御部１６は、内部プレイリストを出力するように、記録部１２へ出力指示を与える。記録部１２は、出力指示に従い、接続部１３へ部分クリップと内部プレイリストとを出力する。出力された部分クリップＡＡ，ＢＢ１，ＢＢ２及び内部プレイリストは、接続部１４を介してリムーバブル記録メディア２０へ出力される。部分クリップは、この時にリムーバブル記録メディア２０に初めて実体として記録される。
【００３８】
以上のように、上記一実施形態では、ユーザからの編集指示により作成された操作者編集データに基づいて、部分クリップ編集データ及び内部編集データを作成し、記録部１２へ記録する。制御部１６は、編集映像を外部出力用のリムーバブル記録メディア２０へ出力する際には、部分クリップ編集データに基づいて部分クリップを読み出す。そして、制御部１６は、部分クリップと内部編集データとを外部出力用のリムーバブル記録メディア２０へ出力するようにしている。この部分クリップには、ＧＯＰの境目に合わせるため、映像シーンの前後に１〜１４フレーム分（ＭＰＥＧ２  ＧＯＰは通常１５フレーム）のフレームが付加されている。このため、部分クリップのデータ量は、編集映像を構成する映像シーンのデータ量よりも大きい。しかし、付加されるフレームの余長は、編集映像を構成する部分クリップ数分付加されるのみなので、編集映像全体の再生長から見ると、データ容量がさほど増加されている訳ではない。つまり、映像収録再生装置１０からリムーバブル記録媒体へ出力される部分クリップは、映像クリップを再エンコードして作成される従来の編集クリップに対してわずかにデータ量が増大するのみとなる。また、部分クリップ編集データに基づいて部分クリップを出力する処理には、映像クリップの再エンコードは不要であるため、再エンコードに必要な時間がかからず、又、画像の劣化もない。
【００３９】
また、上記一実施形態では、編集映像をリムーバブル記録メディア２０へ出力する場合、部分クリップ及び内部編集データをまとめて出力するようにしているので、映像クリップと編集データとをまとめて出力する場合よりも、編集映像を高速に出力することが可能となる。
【００４０】
したがって、本発明に係る映像収録再生装置１０及び映像クリップ処理方法によれば、データ容量の増大を抑え、かつ画像の劣化なく、編集映像を外部へ渡すことができる。
【００４１】
なお、この発明は上記一実施形態に限定されるものではない。例えば上記一実施形態では、プレイリストを参照して部分クリッププレイリスト及び内部プレイリストを作成し、記録部１２へ記録した後に、リムーバブル記録メディア２０へ出力する際に部分クリップを実体化する例について説明したが、本実施形態はこれに限定される訳ではない。例えば、制御部１６は、操作者プレイリストと映像クリップの管理データとを参照して、部分クリップ及び内部プレイリストを作成し、記録部１２に記録せずにリムーバブル記録メディア２０へ直接出力するようにしても良い。
【００４２】
また、上記一実施形態では、部分クリッププレイリストを記録部１２に記録した後、外部出力時に部分クリップを実体化する例について説明したが、本実施形態はこれに限定される訳ではない。例えば、制御部１６は、操作者プレイリストと映像クリップの管理データとを参照して、部分クリップ及び内部プレイリストを作成し、この部分クリップ及び内部プレイリストを記録部１２へ記録する。そして、制御部１６は、外部出力時には単純に記録部１２の部分クリップ及び内部プレイリストを、外部へ出力するようにしても良い。このとき、制御部１６は、編集映像の再生時には記録部１２の部分クリップを内部プレイリストに従ってデコーダ部１３へ出力させる。
【００４３】
また、上記一実施形態では、外部へ部分クリップと内部プレイリストとを出力するのにリムーバブル記録メディア２０に出力する例について説明したが、本実施形態の編集処理はリムーバブル記録メディア２０に出力するのみではない。例えば、映像収録再生装置は、外部の機器と接続するインタフェース部をさらに具備し、このインタフェース部を介してファイル転送により部分クリップと内部プレイリストとを外部機器へ出力する場合についても同様に可能である。これにより、ファイルの転送時間を短くすることができる。
【００４４】
また、上記一実施形態では、映像クリップに対してＩＮ点／ＯＵＴ点を指定する例について説明したが、本実施形態の編集処理は、ＩＮ点／ＯＵＴ点の指定のみでなく、その他のエフェクトの付与である場合であっても同様に実施可能である。
【００４５】
また、上記一実施形態では、映像収録再生装置１０がエンコーダ部１１を具備する例について説明したが、映像収録再生装置１０は、エンコーダ部１１を必ずしも具備する必要はない。例えば、入力部を具備し、この入力部により符号化データを外部から取得する場合であっても同様に実施可能である。
【００４６】
また、上記一実施形態では、操作入力部１５によりユーザからの処理要求を受け付ける例について説明したが、本実施形態はこれに限定される訳ではない。例えば、操作入力部１５に代えて操作受信部を具備し、ユーザのリモート操作により処理要求を受信する場合であってもかまわない。
【００４７】
さらに、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【符号の説明】
【００４８】
１０…映像収録再生装置
１１…エンコーダ部
１２…記録部
１３…デコーダ部
１３１−１，１３１−２…バッファ
１３２−１，１３２−２…デコーダ
１３３−１，１３３−２…バッファ
１３４…電子スイッチ
１４…接続部
１５…操作入力部
１６…制御部
２０…リムーバブル記録メディア
【図１】
2011040827.tif 000003
【図２】
2011040827.tif 000004
【図３】
2011040827.tif 000005
【図４】
2011040827.tif 000006
【図５】
2011040827.tif 000007
【図６】
2011040827.tif 000008
【図７】
2011040827.tif 000009
【図８】
2011040827.tif 000010